(57)【要約】【課題】エレベータ昇降路の最下端部の構築を、時間と手間とをかけることなく行う。【解決手段】エレベータ昇降路構築用竪穴４の最下端部に設置され、周囲にコンクリート５が打設されるエレベータ昇降路最下端部構築用型枠ユニット１であって、このエレベータ昇降路最下端部構築用型枠ユニット１は、鉄骨を格子状に組み合わせた六面を有する六面体形状の格子体２と、格子体２に固定されて上方向きの一つの面を除く他の五つの面を覆う枠板３とを備える。【選択図】    図２
2010203191.tif 000002
【特許請求の範囲】
【請求項１】
エレベータ昇降路構築用竪穴の最下端部に設置され、周囲にコンクリートが打設されるエレベータ昇降路最下端部構築用型枠ユニットであって、
鉄骨を格子状に組み合わせた六面を有する六面体形状の格子体と、
前記格子体に固定されて上方向きの一つの面を除く他の五つの面を覆う枠板と、
を備えることを特徴とするエレベータ昇降路最下端部構築用型枠ユニット。
【請求項２】
前記枠板におけるエレベータ乗場に正対する部分に開口が形成され、前記開口を閉塞する取外し可能な取外し用枠板が取付けられていることを特徴とする請求項１記載のエレベータ昇降路最下端部構築用型枠ユニット。
【請求項３】
前記側板における打設されたコンクリートに埋設される部分に防水処理が施されていることを特徴とする請求項１又は２記載のエレベータ昇降路最下端部構築用型枠ユニット。
【請求項４】
前記格子体の上部に取外し可能な補強部材が取付けられていることを特徴とする請求項１ないし３のいずれか一項に記載のエレベータ昇降路最下端部構築用型枠ユニット。
【請求項５】
前記エレベータ昇降路構築用竪穴の最下端部に設置される前に、エレベータ用部品が予め取付けられていることを特徴とする請求項１ないし４のいずれか一項に記載のエレベータ昇降路最下端部構築用型枠ユニット。
【発明の詳細な説明】
【技術分野】
【０００１】
本発明は、エレベータ昇降路最下端部構築用型枠ユニットに関し、特に、エレベータ昇降路の最下端部を構築するために用いられるエレベータ昇降路最下端部構築用型枠ユニットに関する。
【背景技術】
【０００２】
エレベータ昇降路の最下端部のピットは、例えば、下記特許文献１に記載されているように、鉄筋コンクリートの壁体と底盤とを現場打ちすることにより形成されている。このような鉄筋コンクリートの壁体や底盤は、多数の型枠パネルを組み合わせて型枠パネル列を形成し、この型枠パネル列に囲まれた部分にコンクリートを打設することにより形成されている。
【先行技術文献】
【特許文献】
【０００３】
【特許文献１】実用新案登録第３０７８１９５号公報
【発明の概要】
【発明が解決しようとする課題】
【０００４】
しかしながら、特許文献１に記載されたピットの形成方法では、コンクリートが乾いた後に型枠パネルを取外すという作業が必要であり、型枠パネルを取外すために多大な時間と手間とがかかっている。
【０００５】
また、コンクリートが乾くまで型枠パネルを取外すことができず、しかも、型枠パネルを取外した後にエレベータ昇降路内に各種のエレベータ用部品の取付けを行なうため、エレベータの設置作業に要する期間が長くなっている。
【０００６】
本発明はこのような課題を解決するためになされたもので、その目的は、エレベータ昇降路の最下端部の構築を、時間と手間とをかけることなく行うことができるエレベータ昇降路最下端部構築用型枠ユニットを提供することである。
【課題を解決するための手段】
【０００７】
本発明の実施の形態に係る第１の特徴は、エレベータ昇降路構築用竪穴の最下端部に設置され、周囲に前記エレベータ昇降路を形成するコンクリートが打設されるエレベータ昇降路最下端部構築用型枠ユニットであって、鉄骨を格子状に組み合わせた六面を有する六面体形状の格子体と、前記格子体格子体に固定されて上方向きの一つの面を除く他の五つの面を覆う枠板と、を備えることである。
【発明の効果】
【０００８】
本発明によれば、コンクリートを打設してエレベータ昇降路の最下端部を構築する場合に、エレベータ昇降路の最下端部の内側においてコンクリート打設後に型枠パネルを取外すという作業が発生しないため、エレベータ昇降路の最下端部を構築するために要する時間と手間とを低減させることができ、エレベータの設置作業に要する期間を短縮することができる。
【図面の簡単な説明】
【０００９】
【図１】本発明の第１の実施の形態のエレベータ昇降路最下端部構築用型枠ユニットを示す一部を示す斜視図である。
【図２】エレベータ昇降路構築用竪穴の最下端部に設置されて周囲にコンクリートが打設されたエレベータ昇降路最下端部構築用型枠ユニットを示す縦断断面図である。
【図３】本発明の第２の実施の形態のエレベータ昇降路最下端部構築用型枠ユニットを示す斜視図である。
【図４】エレベータ昇降路構築用竪穴の最下端部に設置されたエレベータ昇降路最下端部構築用型枠ユニットとその周囲に設置された型枠パネルとを示す側面図である。
【図５】エレベータ昇降路構築用竪穴の最下端部に設置されたエレベータ昇降路最下端部構築用型枠ユニットとその周囲に打設されたコンクリートを示す側面図である。
【図６】本発明の第３の実施の形態のエレベータ昇降路最下端部構築用型枠ユニットを示す斜視図である。
【図７】本発明の第４の実施の形態のエレベータ昇降路最下端部構築用型枠ユニットを示す斜視図である。
【図８】本発明の第５の実施の形態のエレベータ昇降路最下端部構築用型枠ユニットを示す斜視図である。
【発明を実施するための形態】
【００１０】
以下、本発明の実施の形態を図面を用いて説明する。
【００１１】
（第１の実施の形態）
本発明の第１の実施の形態を、図１及び図２に基づいて説明する。エレベータ昇降路最下端部構築用型枠ユニット１は、図１に示すように、鉄骨を格子状に組み合わせた六面を有する六面体形状の格子体２と、格子体２に固定されて上方向きの一つの面（上面）を除く他の五つの面（四つの側面と一つの下面）を覆う枠板３とにより形成されている。
【００１２】
枠板３としては、例えば、鉄板、石膏ボード、軽量コンクリート板等が用いられている。また、格子体２への枠板３の固定には、例えば、ボルトやリベット等が用いられている。
【００１３】
エレベータ昇降路最下端部構築用型枠ユニット１は、図２に示すように、エレベータを設置する工事現場に形成されているエレベータ昇降路構築用竪穴４の最下端部に設置されている。そして、エレベータ昇降路構築用竪穴４の最下端部に設置されたエレベータ昇降路最下端部構築用型枠ユニット１の周囲にコンクリート５が打設されることにより、エレベータ昇降路の最下端部が構築されている。
【００１４】
このような構成において、エレベータ昇降路構築用竪穴４の最下端部にエレベータ昇降路最下端部構築用型枠ユニット１を設置し、設置したエレベータ昇降路最下端部構築用型枠ユニット１の周囲にコンクリート５を打設することにより、エレベータ昇降路の最下端部を構築することができる。
【００１５】
そして、このエレベータ昇降路の最下端部を構築するに際しては、従来のエレベータ昇降路の最下端部を構築する際に使用していた型枠パネルを使用する必要がなくなり、コンクリートを打設した後に型枠パネルを取外すという作業が発生しない。
【００１６】
したがって、エレベータ昇降路の最下端部を構築するために要する時間と手間とを低減させることができ、エレベータの設置作業に要する期間を短縮することができる。
【００１７】
（第２の実施の形態）
本発明の第２の実施の形態を図３ないし図５に基づいて説明する。なお、第２の実施の形態及び以下に説明する他の実施の形態において、先行して説明した実施の形態の構成要素と同じ構成要素には同じ符号を付け、重複する説明は省略する。
【００１８】
第２の実施の形態のエレベータ昇降路最下端部構築用型枠ユニット１Ａの基本的構成は第１の実施の形態のエレベータ昇降路最下端部構築用型枠ユニット１と同じであり、異なる点は、エレベータ昇降路最下端部構築用型枠ユニット１Ａに開口６が形成されている点、及び、この開口６を閉塞する取外し可能な取外し用枠板７が取付けられている点である。
【００１９】
開口６は、エレベータ昇降路最下端部構築用型枠ユニット１Ａの枠板３に形成され、及び、エレベータ昇降路最下端部構築用型枠ユニット１Ａをエレベータ昇降路構築用竪穴４の最下端部に設置した場合に、或る階床に設けられたエレベータ乗場８に正対する位置に形成されている。
【００２０】
取外し用枠板７としては、例えば、鉄板、石膏ボード、軽量コンクリート板等が用いられている。また、枠板３への取外し用枠板７の取付けには、例えば、ボルトやリベット等が用いられている。
【００２１】
エレベータ乗場８の天井部分には型枠パネル９が設置され、エレベータ乗場８の天井８ａを形成するためのコンクリートを打設する領域が形成されている。
【００２２】
エレベータ昇降路構築用竪穴４の最下端部へのエレベータ昇降路最下端部構築用型枠ユニット１Ａの設置が終了し、及び、エレベータ乗場８の天井部分への型枠パネル９を用いたコンクリート打設領域の形成が終了した後、コンクリート５の打設を行なう。図５は、コンクリート５を打設し、打設したコンクリートが乾燥した後に型枠パネル９を取外し、さらに、取外し用枠板７を取外した状態を示している。
【００２３】
このような構成において、エレベータの設置作業が終了し。エレベータの運行が開始された場合、開口６は、エレベータ乗場８から乗りかごに乗り降りするエレベータ乗降口として使用される。
【００２４】
エレベータ昇降路最下端部構築用型枠ユニット１Ａの設置作業、及び、コンクリート５の打設作業等などのエレベータの設置作業を行なっている間、開口６は取外し用枠板７により閉塞されている。このため、エレベータの設置作業中において、作業員が開口６からエレベータ昇降路内へ転落する事故の発生を防止することができ、さらに、埃やゴミが開口６からエレベータ昇降路内に入り込むことを防止することができる。
【００２５】
（第３の実施の形態）
本発明の第３の実施の形態について、図６に基づいて説明する。
【００２６】
第３の実施の形態のエレベータ昇降路最下端部構築用型枠ユニット１Ｂの基本的構成は第１の実施の形態のエレベータ昇降路最下端部構築用型枠ユニット１と同じであり、異なる点は、エレベータ昇降路最下端部構築用型枠ユニット１Ｂに防水処理が施されている点である。
【００２７】
防水処理は、枠板３の外側面に防水塗膜１０を塗付することにより、又は、防水シートを貼付することにより行われている。
【００２８】
また、この防水処理が施される部分は、エレベータ昇降路最下端部構築用型枠ユニット１Ｂの周囲にコンクリートを打設した場合、少なくともコンクリートに埋設される部分とされている。
【００２９】
このような構成において、エレベータ昇降路最下端部構築用型枠ユニット１Ｂにおける打設したコンクリートに埋設される部分に防水処理が施されているため、土中の水分がエレベータ昇降路の最下端部に入り込むことを防止することができる。
【００３０】
（第４の実施の形態）
本発明の第４の実施の形態について、第７図に基づいて説明する。
【００３１】
第４の実施の形態のエレベータ昇降路最下端部構築用型枠ユニット１Ｃの基本的構成は第１の実施の形態のエレベータ昇降路最下端部構築用型枠ユニット１と同じであり、異なる点は、エレベータ昇降路最下端部構築用型枠ユニット１Ｃには、格子体２の上端部に取外し可能な補強部材１１が取付けられている点である。
【００３２】
補強部材１１は、鉄骨により十字形に形成され、格子体２の上面部分に筋交いとなるように取付けられている。
【００３３】
格子体２への補強部材１１の取付けは、例えば、ボルトを用いて行なわれている。
【００３４】
このような構成において、エレベータ昇降路最下端部構築用型枠ユニット１Ｃをエレベータ昇降路構築用竪穴４の最下端部に設置するために揚重機器を用いて吊り上げた場合、エレベータ昇降路最下端部構築用型枠ユニット１Ｃの上部が歪んで変形することが考えられる。しかし、補強部材１１を取付けることにより、エレベータ昇降路最下端部構築用型枠ユニット１Ｃを揚重機器を用いて吊り上げた場合において、エレベータ昇降路最下端部構築用型枠ユニット１Ｃの変形を防止することができる。
【００３５】
エレベータ昇降路最下端部構築用型枠ユニット１Ｃをエレベータ昇降路構築用竪穴４の最下端部に設置した後は、補強部材１１を格子体２から取外し、エレベータ昇降路最下端部構築用型枠ユニット１Ｃ内における乗りかごが昇降する空間を確保する。
【００３６】
（第５の実施の形態）
本発明の第５の実施の形態について、第８図に基づいて説明する。
【００３７】
第５の実施の形態のエレベータ昇降路最下端部構築用型枠ユニット１Ｄの基本的構成は第１の実施の形態のエレベータ昇降路最下端部構築用型枠ユニット１と同じであり、異なる点は、エレベータ昇降路最下端部構築用型枠ユニット１Ｄがエレベータ昇降路構築用竪穴４の最下端部に設置される前に、エレベータ昇降路最下端部構築用型枠ユニット１Ｄにエレベータ用部品１２が予め取付けられている点である。
【００３８】
エレベータ用部品１２としては、例えば、ガイドレール、緩衝器、かご枠等である。エレベータ昇降路最下端部構築用型枠ユニット１Ｄへのエレベータ用部品１２の取付けは、例えば、エレベータ昇降路最下端部構築用型枠ユニット１Ｄを製造する工場内において行なわれている。
【００３９】
このような構成において、エレベータ昇降路最下端部構築用型枠ユニット１Ｄへのエレベータ用部品１２の取付けを、エレベータ昇降路最下端部構築用型枠ユニット１Ｄをエレベータ昇降路構築用竪穴４の最下端部に設置する前に行なえる。このため、エレベータ昇降路構築用竪穴４の最下端部に設置されたエレベータ昇降路最下端部構築用型枠ユニット１Ｄに対してエレベータ用部品１２を取付ける作業を省くことができる。
【００４０】
したがって、エレベータを設置する作業現場でエレベータ用部品１２をエレベータ昇降路最下端部構築用型枠ユニット１Ｄに取付けるという作業がなくなり、エレベータの設置作業に要する期間を短縮することができる。
【符号の説明】
【００４１】
１、１Ａ、１Ｂ、１Ｃ、１Ｄ  エレベータ昇降路最下端部構築用型枠ユニット
２      格子体
３      枠板
４      エレベータ昇降路構築用竪穴
５      コンクリート
６      開口
７      取外し用枠板
８      エレベータ乗場
１１      補強部材
１２      エレベータ用部品
【図１】
2010203191.tif 000003
【図２】
2010203191.tif 000004
【図３】
2010203191.tif 000005
【図４】
2010203191.tif 000006
【図５】
2010203191.tif 000007
【図６】
2010203191.tif 000008
【図７】
2010203191.tif 000009
【図８】
2010203191.tif 000010